(57)【要約】【課題】ブーケ作成には、手早く綺麗に仕上げることが要求され、熟練が必要である。スパイラルに組む技術があるが、花の中心がずれたり、片手で花を持ち茎の支点を決めて組んでいくため、手にかなり負荷がかかり、手が痛くなることもある。暮らしの飾り花には、誰もが手軽に形良くブーケを作成し、飾ることが望まれる。【解決手段】ブーケの形状に合わせたブーケ作成補助具を片方の手に持ち、網目に花を挿花しながらスパイラル状に組んでいく。網目で花首を支える状態であるため、中心の花が固定され、手に負荷もかからず、容易に花をまとめることができる。中心部分の花をまとめ、網目に挿花できなかった残りの花は、組んだ花に添わせて仕上げていくので、補助具も目立たなくなり、綺麗に仕上げることができる。ミニブーケには、フレームと弾性ネットからなるブーケ作成補助具を使用し、主要な花は中心で組み、細い花材を周囲のネットに挿しまとめる。簡単にミニブーケを作成できる。【選択図】図２
2014064553.tif 000002
【特許請求の範囲】
【請求項１】
均一な網目、もしくは、不揃いな網目状の樹脂網、金属網、線材で、球状・半球状・半回転楕円体状・キューブ状・フラット状等の形状に形成した底部が空洞のものであって、網目で花首を支え、網目に花を挿花しながらブーケを作成できる、オアシスを使用しない、手で組むブーケ作成時に芯となるブーケ作成補助具。
【請求項２】
樹脂網、金属網、もしくは、線材で、花を挿花できるように形づくったフレームに、菱形の形状をした円筒形の弾性ネットを被せたものであり、外周の花材を弾性ネットで固定し、まとめやすくすることを特徴とする、ブーケ作成時やアレンジ作成時に使用する補助具。
【発明の詳細な説明】
【技術分野】
【０００１】  本発明は、主に、暮らしの飾り花を、ブーケを作成する方法で作成する、ブーケ作成の補助具に関する。
【背景技術】
【０００２】  ブーケ作成には、手で花をスパイラル状に組んで束ねたものを、最後にラフィア等の紐状のもので縛る方法が一般的である。【０００３】  上記以外には、吸水性フォームがセットされたブーケフォルダーを使って作成する。【０００４】  ブライダルブーケ等には、花をワイヤリングして作成する方法等もとられている。【０００５】
【特許文献】特開平９−１９１９９０  この特許文献に記載された発明は、花を挿してアレンジできる吸水性フォームと補強カバーと握り部からなるブーケ用の花束ハンドルである。
【発明の開示】
【発明を解決しようとする課題】
【０００６】  暮らしに飾る花は、花を長持ちさせるため、手の熱を伝えないように、早く、綺麗に作成することが要求される。
【０００７】  早く、綺麗に花をまとめる方法としては、手でスパイラル状に組んでいく方法があるが、熟練していないと、花を組んでいる途中で、花を支えるため手が痛くなったり、花の中心がずれたり、花が密集しすぎる感がある。
【０００８】  本発明は、暮らしの中で飾る花を、ブーケを作成する要領で、誰でも、早く、綺麗に花をまとめ、エコロジカルな花のある暮らしを実現することを目的とするものである。
【課題を解決するための手段】
【０００９】  作成するブーケによって、支点を上部にすると、花首をそろえたキュートなブーケの形になり、支点の位置を茎の下に持っていく程、広がりのあるブーケになる。
【００１０】  花首を揃え形づくるブーケには、花を挿花できる網目、もしくは、穴状を有した樹脂網、金属網、線材等で形づくったブーケ補助具（球状・半球状・キューブ状・フラット形状等）で底部は空洞のものを使用する。中心部の花を数本、網目に挿花し、片手で茎の支点を決めて持ち、花を網目に挿花しながらスパイラル状に組んでいく。花首が網目に支えられた状態に作成することで、作成したい形のブーケを、誰にでも容易に作成することができる。
【００１１】  広がりのある大き目のブーケを作成するには、花を挿花できる網目、もしくは、穴状を有した樹脂網、もしくは、金属網、線材等で形づくったブーケ補助具（半球状）の小型のブーケ作成補助具を使用する。支点の位置を茎の下の方に決め、花を網目に挿花しながらスパイラル状に組んでいく。網目に挿花できなくなった残りの花は、そのまま、添わせるように組んで仕上げる。
【００１２】ミニ花束の作成には、樹脂網、もしくは、金属性の線材で花を挿花できるように形づくったフレームと菱形の網目で筒状の弾性ネットで構成した、小型のブーケ補助具を使用する。片方の手に補助具を持ち、中央部分で大まかな花を組み、周囲の弾性ネットの部分に、細い茎の花や葉を挿す。弾性ネットに挿した花材は、固定されるので、綺麗に仕上げることができる。
【発明の効果】
【００１３】  上述したように、本発明のブーケ作成補助具は、誰にでも容易に、形の整ったブーケの作成ができる補助具を提供することができる。
【図面の簡単な説明】
【００１４】
【図１】ブーケ作成補助具１
【図２】ブーケ作成補助具２
【図３】ブーケ作成補助具３
【図４】ブーケ作成補助具４
【図５】ブーケ作成補助具５０
【図６】図１を使用した参考図
【図７】図１を使用した参考図
【図８】図２を使用した参考図
【符号の説明】
【００１５】  １  ブーケ作成補助具
２  ブーケ作成補助具
３  ブーケ作成補助具
４  ブーケ作成補助具
５ａ  フレーム
５ｂ  弾性ネット
５０  ミニブーケ作成補助具
６  花
７  花器
【発明を実施するための最良の形態】
【００１６】  ブーケ作成補助具の形状は色々なものが想定されるが、例として図１〜図８に基づいて説明する。【００１７】  ブーケ作成補助具１、２、３、４においては、網目で花首を支え形づくるため、手に負荷をかけず、補助具の形に添った形状のブーケを作成することができる。【００１８】  ブーケ作成補助具１、２、３、４においては、補助具の底部が空洞のため、楽に、スパイラル状に組むことができる。【００１９】  ブーケ作成補助具１、２においては、外形の網目、または、穴状を様々な形状にするため、色々な花材を使用し、ブーケを作成できる。【００２０】  図１においては、なだらかな半回転楕円体状のブーケ作成補助具１であり、樹脂材で形成され、軽いため、手に負担がかからない。頂点から下に向かって、網目に挿花しながら、ブーケを回転させて、１本ずつ加え、スパイラル状に交差させ組んでいく。ほぼ、中心部が完成したら、残りの花を、組んだ茎に沿わせて加えていき、ブーケ全体が、なだらかな丸みを帯びた形になるように整えて仕上げる。中央部分の花を網目に挿花しているため、中心がずれず、茎がくねったり、細くて安定しない花材でも、向きを決め、楽に組むことができる。広がりのあるブーケを作成する場合は、茎の支点を下のほうに決め、網目に挿花しながらスパイラル状に組んでいく。【００２１】  図２においては、高さのある半回転楕円体状のブーケ作成補助具２であり、半球体、球体状のブーケの作成が可能である。半球状のブーケを作成する場合は、頂点から下に向かって、網目に挿花しながら、花を１本ずつ加えて、スパイラル状に交差させながら組んでいく。半球状にほぼ仕上がったら、形を美しく整えるため、サイドや上部の隙間のあるところに１本ずつ挿し入れてバランスを整える。後から、花を引き出し、花の高さを揃えることもできる。球体状のブーケを作成する場合は、半球状に仕上がった後に、球体の下側になる部分に、花をきっちり詰めていき、全体の球形を整える。【００２２】  図３においては、キューブ状のブーケ作成補助具３であり、側面が平らで綺麗な四角形のキューブ状のブーケの作成が可能である。上面の網に四角形になるように、花顔を真上に向けて４本花を挿花し、スパイラル状に束ね、茎をテープ等で留め固定する。側面を１面ずつ、上段から下段に花を加えていき、四角形になるようにつくっていく。角になる部分にも花を加えて、隙間があいている部分には、花を加えて埋め整える。【００２３】  図４においては、フラット（水平）状のブーケ作成補助具４であり、花顔を上に向けたままで、楽に、花を束ねていくことが可能である。花を網目に挿花しながら、スパイラル状に組むだけで、花顔の高さを揃えたブーケを作成できる。後から花を引き出し、水平なラインの中にも凹凸をつけたブーケが作成できる。【００２４】  図５においては、円筒形の樹脂材のフレーム５ａに、菱形の網目をした弾性ネット５ｂを被せ構成したミニブーケ作成補助具５０である。中心の輪の中で主要な花を組み、側面の弾性ネットに、茎の細い花材を挿花する。弾性ネットに挿花した花材は、固定された状態になるので、花形がとりやすく、簡単に整った花束を作成することが可能である。【００２５】  図６においては、ブーケ���成補助具１を使用し、なだらかな半球状のブーケを作成する途中の使用参考図。【００２６】  図７においては、ブーケ作成補助具１を使用し、広がりのあるブーケを作成する途中の使用参考図。【００２７】  図８においては、ブーケ作成補助具２を使用し、球状のブーケを作成した参考図。【００２８】  ブーケ作成補助具を使用することにより、熟達した技術が無くとも、誰にでも、簡単に、形の整った、暮らしの中で飾るブーケを作成することができる。
【図１】
2014064553.tif 000003
【図２】
2014064553.tif 000004
【図３】
2014064553.tif 000005
【図４】
2014064553.tif 000006
【図５】
2014064553.tif 000007
【図６】
2014064553.tif 000008
【図７】
2014064553.tif 000009
【図８】
2014064553.tif 000010